(57)【要約】【課題】起動時に消費する電力を容易かつ効率良く抑制する装置を提供する。【解決手段】画像形成装置１０は、電源を供給する電源回路２２と、ネットワークと通信可能に接続され、ネットワークを介して受信した信号に基づいて電源回路２２からの電源供給を制御するネットワーク接続回路２４と、所定の機能を提供するデバイス５０の駆動を制御するメインＣＰＵ３４と、メインＣＰＵ３４よりも消費電力が少なく、メインＣＰＵ３４の駆動を制御するサブＣＰＵ３２と、を備え、ネットワーク接続回路２４は、信号が起動を指示する起動信号である場合、電源回路２２に対してサブＣＰＵ３２への電源供給を指示し、サブＣＰＵ３２を起動させる。【選択図】図１
2014133361.tif 000002
【特許請求の範囲】
【請求項１】
電源を供給する電源部と、
ネットワークと通信可能に接続され、前記ネットワークを介して受信した信号に基づいて前記電源部からの電源供給を制御する第１電源制御部と、
所定の機能を提供するデバイスの駆動を制御する第１制御部と、
前記第１制御部よりも消費電力が少なく、前記第１制御部の駆動を制御する第２制御部と、を備え、
前記第１電源制御部は、前記信号が起動を指示する起動信号である場合、前記電源部に対して前記第２制御部への電源供給を指示し、前記第２制御部を起動させることを特徴とする画像形成装置。
【請求項２】
請求項１に記載の画像形成装置において、
前記ネットワークを介して受信したジョブデータに含まれるジョブ種を記憶する記憶部を備え、
前記第２制御部は、前記ジョブデータが要求するジョブを実行するジョブ実行部と、
記憶した前記ジョブ種に基づいて前記電源部に対して前記第１制御部への電源供給を指示し、前記第１制御部を起動させる第２電源制御部と、を備えることを特徴とする画像形成装置。
【請求項３】
請求項１乃至２のいずれかに記載の画像形成装置において、
前記第２制御部は、前記ジョブ種に基づいて駆動する前記デバイスを決定し、前記電源部に対して決定した前記デバイスへの電源供給を指示することを特徴とする画像形成装置。
【請求項４】
請求項１乃至３のいずれか１項に記載の画像形成装置において、
前記第１制御部は、前記電源部に対して前記デバイスへの電源供給を指示することを特徴とする画像形成装置。
【請求項５】
請求項１乃至４のいずれか１項に記載の画像形成装置において、
前記第２制御部は、前記記憶部に記憶された前記ジョブ種を解析し、前記ジョブ種が前記デバイスの駆動を要求している場合、前記電源部に対して前記第１制御部および前記デバイスへの前記電源供給を指示して前記第１制御部および前記デバイスを起動させ、
前記第１制御部は、前記ジョブデータに基づいて前記デバイスの駆動を制御することを特徴とする画像形成装置。
【請求項６】
請求項１乃至５のいずれか１項に記載の画像形成装置において、
前記デバイスは前記ジョブデータに基づいて画像を形成することを特徴とする画像形成装置。
【請求項７】
電源を供給する電源部と、
ネットワークと通信可能に接続され、前記ネットワークを介して受信した信号に基づいて前記電源部からの電源供給を制御する第１電源制御部と、
所定の機能を提供するデバイスの駆動を制御する第１制御部と、
前記第１制御部よりも消費電力が少なく、前記第１制御部の駆動を制御する第２制御部と、を備え、
前記第１電源制御部は、前記信号が起動を指示する起動信号である場合、前記電源部に対して前記第２制御部への電源供給を指示することを特徴とする電源制御装置。
【請求項８】
電源を供給する電源部と、ネットワークと通信可能に接続され、前記ネットワークを介して受信した信号に基づいて前記電源部の電源供給を制御する第１電源制御部と、所定の機能を提供するデバイスの駆動を制御する第１制御部と、前記第１制御部よりも消費電力が少なく、前記第１制御部の駆動を制御する第２制御部と、を備える電源制御装置の制御方法であって、
前記第１電源制御部が前記信号を受信する受信工程と、
前記信号が起動を指示する起動信号であるか、否かを判定する判定工程と、
前記信号が起動を指示する起動信号である場合、前記第１電源制御部が前記第２制御部への電源供給を前記電源部に対して指示する指示工程と、
前記電源供給により起動した前記第２制御部が前記ネットワークを介して受信したジョブデータに含まれるジョブ種に基づいて前記第１電源制御部および前記デバイスへの電源供給を判定する電源供給判定工程と、を備えることを特徴とする電源制御装置の制御方法。
【発明の詳細な説明】
【技術分野】
【０００１】
本発明は、画像形成装置、電源制御装置および電源制御装置の制御方法に関する。
【背景技術】
【０００２】
従来、コンピューター装置や周辺機器装置は、消費電力の節約のために、一定時間以上使用されない場合には自動的に主電源を切る機能を備えている。主電源が切られたこれらの装置を再び起動するには、キーボードやパネル等を使用者が直接操作する必要があったが、ＬＡＮ（Local  Area  Network）に接続し、特殊なネットワークパケットを受信することで主電源が入り起動する機構、所謂、ＷＯＬ（Wake  On  LAN）機能を持つ装置が使用されている。
装置の電源を投入するための特殊なネットワークパケットは、所謂、マジックパケット（ＭａｇｉｃＰａｃｋｅｔＴＭ）と呼ばれ、主電源が切られている場合でも装置のＬＡＮコントローラーは通電状態でネットワークパケットを監視している。そして、ある特定のデータシーケンスがネットワークパケット内に検知できた場合、装置の電源制御部に信号を送って主電源を投入する仕組みになっている。
【０００３】
ここで特定のデータシーケンスとは、同期ストリームである６バイトのＦＦ（１６進数）に続き、ＬＡＮボードが固有に持つ物理アドレス、すなわちＭＡＣ（Media  Access  Control）アドレスと呼ばれる数値が１６回繰り返されたものである。主電源がオフになっている装置がネットワークパケット内に自己のＭＡＣアドレスを含んだ上記データを検知した場合、主電源が投入される。
また、下記特許文献１に示すように、マジックパケットにより装置が起動する際、装置が備える機能のうち使用する機能を示した機能情報をマジックパケットに付加して送信し、装置がマジックパケットを受信した場合、機能情報が示す機能のみを起動させる電源投入方法が提案されている。
【先行技術文献】
【特許文献】
【０００４】
【特許文献１】特開２００７−８８７０７号公報
【発明の概要】
【発明が解決しようとする課題】
【０００５】
しかしながら、特定の機能のみを起動させる場合であっても、ＣＰＵ等の制御部は全て起動するため、制御部が消費する電力の低減効果は小さかった。また、ネットワークパケットの送信側が使用する特定の機能のみを起動させる機能情報を生成し、受信側が機能情報を解析して特定の機能のみを起動させるためには、ユニークな機能情報を送信側および受信側で取り決めておく必要があり、手間を要すると共に他の装置への拡張は困難であった。
そこで本発明は、上述の課題に鑑みてなされたものであり、装置の起動時における省電力を容易かつ効率良く行うことを目的とする。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる画像形成装置は、電源を供給する電源部と、ネットワークと通信可能に接続され、前記ネットワークを介して受信した信号に基づいて前記電源部の電源供給を制御する第１電源制御部と、所定の機能を提供するデバイスの駆動を制御する第１制御部と、前記第１制御部よりも消費電力が少なく、前記第１制御部の駆動を制御する第２制御部と、を備え、前記第１電源制御部は、前記信号が起動を指示する起動信号である場合、前記電源部に対して前記第２制御部への電源供給を指示し、前記第２制御部を起動させることを特徴とする。
【０００８】
このような構成によれば、第１電源制御部は、起動信号を受信した場合、デバイスの駆動を制御する第１制御部よりも消費電力が少ない第２制御部を先に起動させ、起動した第２制御部が第１制御部の駆動を制御する。従って、画像形成装置を複数の制御部で制御し、起動時には消費電力が少ない第２制御部が起動して第１制御部やデバイスの起動を制御するため、消費電力を抑制できる。
【０００９】
［適用例２］
上記適用例にかかる画像形成装置において、前記ネットワークを介して受信したジョブデータに含まれるジョブ種を記憶する記憶部を備え、前記第２制御部は、前記ジョブデータが要求するジョブを実行するジョブ実行部と、記憶した前記ジョブ種に基づいて前記電源部に対して前記第１制御部への電源供給を指示し、前記第１制御部を起動させる第２電源制御部と、を備えることが好ましい。
【００１０】
このような構成によれば、第２制御部は、ジョブ実行部が第１制御部やデバイスを起動させることなくジョブを実行できることに加え、第２電源制御部がジョブデータに含まれるジョブ種に基づいて第１制御部の起動を指示できる。
【００１１】
［適用例３］
上記適用例にかかる画像形成装置において、前記第２制御部は、前記ジョブ種に基づいて駆動する前記デバイスを決定し、前記電源部に対して決定した前記デバイスへの電源供給を指示することが好ましい。
【００１２】
このような構成によれば、第２制御部はジョブデータに含まれるジョブ種に基づいてデバイスを制御できる。
【００１３】
［適用例４］
上記適用例にかかる画像形成装置において、前記第１制御部は、前記電源部に対して前記デバイスへの電源供給を指示しても良い。
【００１４】
［適用例５］
上記適用例にかかる画像形成装置において、前記第２制御部は、前記記憶部に記憶された前記ジョブ種を解析し、前記ジョブ種が前記デバイスの駆動を要求している場合、前記電源部に対して前記第１制御部および前記デバイスへの前記電源供給を指示して前記第１制御部および前記デバイスを起動させ、前記第１制御部は、前記ジョブデータに基づいて前記デバイスの駆動を制御することが好ましい。
【００１５】
このような構成によれば、第２電源制御部はジョブデータに含まれるジョブ種に基づいて第１制御部およびデバイスに電源供給を指示して起動させ、起動した第１制御部はジョブデータに基づいてデバイスの駆動を制御できる。
【００１６】
［適用例６］
上記適用例にかかる画像形成装置において、前記デバイスは前記ジョブデータに基づいて画像を形成することが好ましい。
【００１７】
このような構成によれば、画像を形成するためのジョブデータを第１制御部やデバイスの起動判定に使用できる。
【００１８】
［適用例７］
本適用例にかかる電源制御装置は、電源を供給する電源部と、ネットワークと通信可能に接続され、前記ネットワークを介して受信した信号に基づいて前記電源部の電源供給を制御する第１電源制御部と、所定の機能を提供するデバイスの駆動を制御する第１制御部と、前記第１制御部よりも消費電力が少なく、前記第１制御部の駆動を制御する第２制御部と、を備え、前記第１電源制御部は、前記信号が起動を指示する起動信号である場合、前記電源部に対して前記第２制御部への電源供給を指示することを特徴とする。
【００１９】
このような構成によれば、第１電源制御部は、起動信号を受信した場合、デバイスの駆動を制御する第１制御部よりも消費電力が少ない第２制御部を先に起動させ、起動した第２制御部が第１制御部の駆動を制御する。従って、画像形成装置を複数の制御部で制御し、起動時には消費電力が少ない第２制御部が起動して第１制御部やデバイスの起動を制御するため、消費電力を抑制できる。
【００２０】
［適用例８］
本適用例にかかる電源制御装置の制御方法は、電源を供給する電源部と、ネットワークと通信可能に接続され、前記ネットワークを介して受信した信号に基づいて前記電源部の電源供給を制御する第１電源制御部と、所定の機能を提供するデバイスの駆動を制御する第１制御部と、前記第１制御部よりも消費電力が少なく、前記第１制御部の駆動を制御する第２制御部と、を備える電源制御装置の制御方法であって、前記第１電源制御部が前記信号を受信する受信工程と、前記信号が起動を指示する起動信号であるか、否かを判定する判定工程と、前記信号が起動を指示する起動信号である場合、前記第１電源制御部が前記第２制御部への電源供給を前記電源部に対して指示する指示工程と、前記電源供給により起動した前記第２制御部が前記ネットワークを介して受信したジョブデータに含まれるジョブ種に基づいて前記第１電源制御部および前記デバイスへの電源供給を判定する電源供給判定工程と、を備えることを特徴とする。
【００２１】
このような方法によれば、第１電源制御部は、起動信号を受信した場合、デバイスの駆動を制御する第１制御部よりも消費電力が少ない第２制御部を先に起動させ、起動した第２制御部が第１制御部の駆動を制御する。従って、画像形成装置を複数の制御部で制御し、起動時には消費電力が少ない第２制御部が起動して第１制御部やデバイスの起動を制御するため、消費電力を抑制できる。
【図面の簡単な説明】
【００２２】
【図１】本発明の実施形態に係る画像形成装置の機能構成を示すブロック図。
【図２】画像形成装置がＷＯＬ機能により動作する処理を示すフローチャート。
【発明を実施するための形態】
【００２３】
以下、本発明の実施形態について図面を参照して説明する。
【００２４】
（実施形態）
図１は、画像形成装置１０の機能構成を示すブロック図である。本実施形態では、画像形成装置１０はネットワーク４５に接続可能な複合機を想定し、スキャナー機能、印刷機能、コピー機能およびファックス機能を備える。
画像形成装置１０は、電源制御装置２０、ネットワークコネクター４０、操作パネル４２およびスキャナーエンジン５２、プリントエンジン５４およびＦＡＸユニット５６を備える。
ネットワークコネクター４０は、ＬＡＮ（Local  Area  Network）のようなネットワーク４５と接続するためのコネクターであり、本実施形態では、ＲＪ−４５のようなモジュラー式コネクターを想定する。また、操作パネル４２はユーザーからの指示を受け付けるタッチパネルを想定する。
スキャナーエンジン５２は、原稿を光学的に走査して読み取り、読み取った原稿イメージの画像データを出力する機能を備える。また、プリントエンジン５４は、入力された画像データが示す画像イメージを用紙等の媒体に形成する機能を備える。本実施形態では、印刷形式は電子写真方式やインクジェット方式を想定する。また、ＦＡＸユニット５６は、電話回線等の通信回線を介して相手局との間で画像データをやり取りする機能を備える。
以降の説明において、スキャナーエンジン５２、プリントエンジン５４およびＦＡＸユニット５６を総称してデバイス５０と呼ぶ。
【００２５】
電源制御装置２０は、画像形成装置１０の動作を制御するコントローラーとしての機能と、画像形成装置１０のデバイス５０への電源供給を制御する機能を備え、電源回路２２、ネットワーク接続回路２４、集積回路３０、ＲＯＭ２６およびＲＡＭ２８を備える。集積回路３０は、必要な機能の全てを１つのＩＣチップに実装したＳｏＣ（System  on  a  Chip）を想定し、サブＣＰＵ３２、メインＣＰＵ３４およびＳＲＡＭ３６を備える。また、図示は略すが、集積回路３０は、各デバイス５０や操作パネル４２と所定のインターフェイスを介して接続されている。
電源回路２２は電源部として機能し、各機能部に対して駆動するための電源を供給する。本実施形態では、電源回路２２は、ネットワーク接続回路２４および操作パネル４２に対しては常時電源を供給し、サブＣＰＵ３２、メインＣＰＵ３４およびデバイス５０に対しては、駆動指示された各デバイスに対して電源を供給する。この結果、ネットワーク接続回路２４は常に駆動状態であり、サブＣＰＵ３２、メインＣＰＵ３４およびデバイス５０は、それぞれに対する電源供給に応じて駆動状態および非駆動状態の何れかに遷移する。
【００２６】
本実施形態では、ネットワーク接続回路２４および操作パネル４２は電源回路２２に対してサブＣＰＵ３２への電源供給を指示できる。また、サブＣＰＵ３２は、電源回路２２に対してメインＣＰＵ３４やデバイス５０への電源供給を指示できる。
ネットワーク接続回路２４は、ネットワークコネクター４０と共にネットワークカード（ＮＩＣ）を構成し、一方がネットワークコネクター４０を介してネットワーク４５と通信可能に接続され、他方が集積回路３０と通信可能に接続されている。
ネットワーク接続回路２４は、ＷＯＬ機能を備えて常に通電した状態のＬＡＮコントローラーとして機能し、画像形成装置１０の主電源が切られた非駆動状態であって、かつ、ネットワーク４５の接続先から自己のＭＡＣアドレスに対する起動信号を受信した場合、第１電源制御部として電源回路２２に対してサブＣＰＵ３２への電源供給を指示する。指示を受けた電源回路２２はサブＣＰＵ３２に対して電源の供給を開始し、サブＣＰＵ３２が起動する。尚、起動信号は、本実施形態ではマジックパケットを想定するがこれには限定されない。
【００２７】
本実施形態では、ネットワーク接続回路２４は、Ｅｔｈｅｒｎｅｔ（登録商標）のＰＨＹチップを想定するが、メディアアクセスコントロール（ＭＡＣ）機能およびＰＨＹ機能を内蔵したＥｔｈｅｒｎｅｔ（登録商標）のコントローラーであっても良い。
また、ネットワーク接続回路２４は、ネットワーク４５の接続先からネットワークパケットを受信した場合、受信したネットワークパケットを記憶部であるＲＡＭ２８に保持する。
サブＣＰＵ３２およびメインＣＰＵ３４はＳｏＣにおけるプロセッサーコアであり、それぞれ独立して駆動できる。
第２制御部であるサブＣＰＵ３２は、ＲＡＭ２８に保持されたネットワークパケットからジョブデータを復元して解析し、送信データの属性を示すジョブ種を抽出してＲＡＭ２８に記憶する。そして、ＲＡＭ２８に記憶したジョブ種に基づいて駆動させる対象を決定する。ジョブ種は、ジョブデータが印刷ジョブ、コピージョブおよびファックス受信ジョブ等の何れかであることを示し、本実施形態では、デバイス５０の駆動を指示するデバイス制御コマンド等に基づいて判断する。
【００２８】
サブＣＰＵ３２は、ジョブデータからデバイス制御コマンドを抽出し、ジョブ種を判定した結果、メインＣＰＵ３４やデバイス５０の駆動が必要であると判断した場合、電源回路２２に対してメインＣＰＵ３４やデバイス５０への電源供給を指示し、メインＣＰＵ３４を起動させる（第２電源制御部）。
他方で、ジョブデータにはデバイス５０のデバイス制御コマンドが含まれず、メインＣＰＵ３４やデバイス５０の駆動は不要である場合も想定できる。このような場合、例えば、画像形成装置１０のステータス情報の送信を要求しているような必要最小限のジョブを要求するジョブ種である場合には、サブＣＰＵ３２はメインＣＰＵ３４やデバイス５０へ電源を供給させることなく、要求されたジョブを実行する（ジョブ実行部）。即ち、サブＣＰＵ３２はＲＡＭ２８から必要な情報を取得し、取得した情報をネットワーク４５の接続先に送信する。尚、サブＣＰＵ３２は、ＳｏＣ外部のマイコンであっても良い。
第１制御部であるメインＣＰＵ３４は、サブＣＰＵ３２よりも消費電力が大きく、ＲＡＭ２８に保持されたジョブ種を取得し、駆動するデバイス５０をジョブ種に基づいて決定する機能を備える。例えば、ネットワーク４５の接続先としてクライアントコンピューターから印刷ジョブが送信された場合、メインＣＰＵ３４は、ＲＡＭ２８に保持した印刷ジョブに含まれるコマンド群の中からデバイス制御コマンドを抽出し、デバイス５０の中からプリントエンジン５４を駆動させる。
【００２９】
更に、メインＣＰＵ３４は、駆動させるデバイス５０を制御するためのデバイスプログラムをＲＯＭ２６から読み出してメモリー空間に展開し、展開したデバイスプログラムに基づいてデバイス５０を制御する機能を備える。例えば、駆動させるデバイス５０がプリントエンジン５４の場合、メインＣＰＵ３４はデバイスプログラムを実行し、印刷ジョブに基づいてプリントエンジン５４を制御する。
また、ＳＲＡＭ３６は、サブＣＰＵ３２およびメインＣＰＵ３４のキャッシュメモリーとして機能する。
図２は、主電源が切られた状態の画像形成装置１０がＷＯＬ機能により動作する処理を示すフローチャートである。最初に、ネットワーク接続回路２４は、ネットワーク４５の接続先からマジックパケットを受信する（ステップＳ１００）＜受信工程＞。
次に、ネットワーク接続回路２４は、マジックパケットが示すＭＡＣアドレスが自己のＭＡＣアドレスと一致するか、否かを判定する（ステップＳ１０２）＜判定工程＞。
ここで、マジックパケットが示すＭＡＣアドレスと自己のＭＡＣアドレスとが一致しない場合（ステップＳ１０２でＮｏ）、ステップＳ１００に戻り、次のマジックパケットの受信を待つ。
【００３０】
他方で、マジックパケットが示すＭＡＣアドレスと自己のＭＡＣアドレスとが一致する場合（ステップＳ１０２でＹｅｓ）、ネットワーク接続回路２４はサブＣＰＵ３２に対して電源を供給することで起動を指示する（ステップＳ１０４）＜指示工程＞。
次に、サブＣＰＵ３２は電源回路２２からの電源供給を受け、起動処理を開始する（ステップＳ１１０）。サブＣＰＵ３２の起動処理が終了すると、サブＣＰＵ３２は、ネットワーク接続回路２４に対して駆動していることを示す信号をネットワーク接続回路２４に送る。
次に、ネットワーク接続回路２４は、ネットワークパケットが受信可能であることを示す「Ｒｅａｄｙ信号」をネットワーク４５の接続先に対してブロードキャストする（ステップＳ１０６）。
ネットワーク接続回路２４はネットワークパケットの受信を待機し、ネットワークパケットを受信した場合、受信したネットワークパケットをサブＣＰＵ３２に転送し（ステップＳ１０８）、フローチャートの処理を終了する。
【００３１】
次に、サブＣＰＵ３２は転送されたネットワークパケットを解析する（ステップＳ１１２）。サブＣＰＵ３２は、ネットワークパケットを解析して得られるジョブ種に基づき、デバイス５０を駆動させるべくメインＣＰＵ３４を起動させるか、否かを判定する（ステップＳ１１４）＜電源供給判定工程＞。
ここで、サブＣＰＵ３２がメインＣＰＵ３４を起動させないと判定した場合（ステップＳ１１４でＮｏ）、サブＣＰＵ３２はメインＣＰＵ３４を起動させることなく、フローチャートの処理を終了する。この場合、サブＣＰＵ３２は必要最小限のジョブを処理しても良い。
他方で、サブＣＰＵ３２がメインＣＰＵ３４を起動させると判定した場合（ステップＳ１１４でＹｅｓ）、サブＣＰＵ３２はメインＣＰＵ３４に対して電源を供給することで起動を指示する（ステップＳ１１６）。この結果、電源回路２２からメインＣＰＵ３４に対して電源供給が開始される。
次に、メインＣＰＵ３４は電源回路２２からの電源供給を受け、起動処理を開始する（ステップＳ１２０）。
【００３２】
次に、サブＣＰＵ３２は、ジョブ種に基づいてデバイス５０を起動させるか、否かを判定する（ステップＳ１１８）＜電源供給判定工程＞。
ここで、サブＣＰＵ３２がデバイス５０を起動させないと判定した場合（ステップＳ１１８でＮｏ）、サブＣＰＵ３２はデバイス５０を起動させることなく、フローチャートの処理を終了する。この場合、メインＣＰＵ３４はデバイス５０を駆動しないようなジョブを処理しても良い。
他方で、サブＣＰＵ３２がデバイス５０を起動させると判定した場合（ステップＳ１１８でＹｅｓ）、サブＣＰＵ３２はジョブ種に基づくデバイス５０に対して電源を供給することで起動を指示する（ステップＳ１１９）。この結果、電源回路２２からデバイス５０に対して電源供給が開始され、デバイス５０は起動処理を開始する（ステップＳ１３０）。
【００３３】
メインＣＰＵ３４の起動処理が終了すると、メインＣＰＵ３４は、ジョブ種に基づいてデバイス５０を駆動するか、否かを判定する（ステップＳ１２２）。
ここで、メインＣＰＵ３４がデバイス５０を駆動しないと判定した場合（ステップＳ１２２でＮｏ）、メインＣＰＵ３４はデバイス５０を起動させることなく、この処理を終了する。
他方で、メインＣＰＵ３４がデバイス５０を駆動させると判定した場合（ステップＳ１２２でＹｅｓ）、メインＣＰＵ３４は駆動するデバイス５０をジョブ種に基づいて決定する（ステップＳ１２４）。
続いて、メインＣＰＵ３４は、デバイス５０に対して駆動を制御し（ステップＳ１２６）、フローチャートの処理を終了する。
続いて、デバイス５０は、メインＣＰＵ３４からの駆動制御に基づいて駆動処理を開始することで（ステップＳ１３２）、所定の機能を実行し、フローチャートの処理を終了する。
【００３４】
以上述べた実施形態によれば、以下のような効果を奏する。
（１）画像形成装置１０は、自己の起動を指示するマジックパケットを受信した場合、最初に低消費電力のサブＣＰＵ３２を起動させ、受信するジョブデータのジョブ種を解析し、解析した結果に応じてメインＣＰＵ３４やデバイス５０を起動させる。そして、起動したメインＣＰＵ３４がデバイス５０の動作を制御することで所定の機能を実行する。従って、実行するジョブに応じて集積回路３０のハードウェアの起動を決定するため、電力消費を効率的に抑制できる。
（２）画像形成装置１０は、所定の規格で作成されたジョブデータのジョブ種を解析し、解析結果に基づいて起動させるハードウェアを決定するため、ジョブデータに特別な情報を付加する必要がないことから、ジョブデータに基づいて駆動する他の装置へ容易に適用できる。
【００３５】
以上、本発明を図示した実施形態に基づいて説明したが、本発明は、本実施形態に限定されるものではなく、以下に述べるような変形例も想定できる。
（１）画像形成装置１０は複合機には限定されず、画像を投射するプロジェクターや、表示素子に画像を表示させる表示機器等にも適用できる。
（２）上述した実施形態では、画像形成装置１０の各機能部を駆動させる場合について説明したが、駆動している機能部を非駆動状態に遷移させる場合も想定できる。即ち、デバイス５０が所定時間に渡り使用されない場合には、メインＣＰＵ３４が電源回路２２に指示してデバイス５０への電源の供給を終了させる。同様に、メインＣＰＵ３４が所定時間に渡りデバイス５０を制御しない場合、サブＣＰＵ３２が電源回路２２に指示してメインＣＰＵ３４への電源の供給を終了させる。更に、サブＣＰＵ３２が所定時間に渡りメインＣＰＵ３４を起動させない場合、ネットワーク接続回路２４が電源回路２２に指示してサブＣＰＵ３２への電源の供給を終了させても良い。
また、以上のような手法を実施する装置は、単独の装置によって実現される場合もあれば、複数の装置を組み合わせることによって実現される場合もあり、各種の態様を含むものである。
各実施形態における各構成及びそれらの組み合わせは一例であり、本発明の趣旨から逸脱しない範囲内で、構成の付加、省略、置換およびその他の変更が可能である。また、本発明は実施形態では限定されるものではなく、クレームの範囲によってのみ限定される。
【符号の説明】
【００３６】
１０…画像形成装置、２０…電源制御装置、２２…電源回路、２４…ネットワーク接続回路、２６…ＲＯＭ、２８…ＲＡＭ、３０…集積回路、３２…サブＣＰＵ、３４…メインＣＰＵ、３６…ＳＲＡＭ、４０…ネットワークコネクター、４２…操作パネル、４５…ネットワーク、５０…デバイス、５２…スキャナーエンジン、５４…プリントエンジン、５６…ＦＡＸユニット。
【図１】
2014133361.tif 000003
【図２】
2014133361.tif 000004